【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
体幹部に電流を流すため電流印加電極対に電流を印加し、電圧計測電極対に生じた電位差を測定することにより、体幹部の内臓脂肪組織情報、及び／又は、皮下脂肪組織層情報を求める方法であって、
前記電流印加電極対のうちの少なくとも一方の電流印加電極として複数の電極部からなるマルチ電極を体幹部に接触させ、前記電流印加電極対のうちの他方の電流印加電極を前記一方の電流印加電極から離れた位置に配置し、
前記複数の電極部を順次電気的につなげていくように前記マルチ電極を切換えながら、前記他方の電流印加電極との間に電流を印加し、前記電圧計測電極対で電位差またはインピーダンスを測定し、測定した電位差またはインピーダンスを示す値の変化から、前記マルチ電極の最適電極面積となる電極配置を決定し、
決定した最適電極面積配置の前記マルチ電極と前記他方の電流印加電極との間に電流を印加したとき、前記電圧計測電極対で測定した電位差またはインピーダンスから、体幹部の内臓脂肪組織情報、及び／又は、皮下脂肪組織層情報を求めることを特徴とする体幹部内臓・皮下脂肪測定方法。
【請求項２】
体幹部に電流を印加するための電流印加電極対と、前記体幹部に生じた電位差を測定するための電圧計測電極対とを備え、前記電圧計測電極対に生じた電位差を測定することにより、前記体幹部の内臓脂肪組織情報、及び／又は、皮下脂肪組織層情報を求める装置であって、
前記電流印加電極対のうちの少なくとも一方の電流印加電極は、複数の電極部からなるマルチ電極であり、
前記マルチ電極の複数の電極部を順次電気的につなげていくように前記マルチ電極を切換え、前記電流印加電極対のうちの他方の電流印加電極との間に電流を印加できるようにする電極切換部と、
前記電圧計測電極対で測定された電位差またはインピーダンスを示す値の変化に基いて前記マルチ電極の最適電極面積配置を決定する最適電極面積配置判定手段と、
前記決定した最適電極面積配置の前記マルチ電極と前記他方の電流印加電極との間に電流を印加したとき、前記電圧計測電極対で測定した電位差またはインピーダンスに基いて体幹部の内臓脂肪組織情報、及び／又は、皮下脂肪組織層情報を求める手段とを備えることを特徴とする体幹部内臓・皮下脂肪測定装置。
【請求項３】
前記電極切換部は、前記マルチ電極の切換えの方向を、対応する電圧計測電極の配置側とは反対の方向とする請求項２に記載の体幹部内臓・皮下脂肪測定装置。
【請求項４】
前記マルチ電極は、複数の細長い電極部が隣接してアレー状に並んだアレー電極である請求項２または３に記載の体幹部内臓・皮下脂肪測定装置。
【請求項５】
前記アレー電極は、固定分電極部と複数の可変分マルチ細分化電極部とからなる請求項４に記載の体幹部内臓・皮下脂肪測定装置。
【請求項６】
前記可変分マルチ細分化電極部のサイズはすべて等しく、前記固定分電極部のサイズは、前記可変分マルチ細分化電極部のサイズより大きい請求項５に記載の体幹部内臓・皮下脂肪測定装置。
【請求項７】
前記マルチ電極は、複数の小さい電極部が縦横にマトリクス状に並んだマトリックス電極である請求項２または３に記載の体幹部内臓・皮下脂肪測定装置。
【請求項８】
前記電流印加電極対の各電流印加電極は、複数の電極部からなるマルチ電極であり、電極切換部は、各マルチ電極の切換えを個別に行え、前記最適電極面積配置判定手段は、前記マルチ電極の最適電極面積の決定を、各マルチ電極に対して個別に行える請求項２から７のうちのいずれか１項に記載の体幹部内臓・皮下脂肪測定装置。
【請求項９】
前記最適電極面積配置判定手段は、前記マルチ電極の切換えに伴う前記測定した電位差またはインピーダンスの変化が所定の値以下に収束するとき、前記最適電極面積配置であると判定する請求項２から８のうちのいずれか１項に記載の体幹部内臓・皮下脂肪測定装置。
【請求項１０】
前記最適電極面積配置判定手段は、前記最適電極面積配置の判定が終了したとき、そのことを表示部に表示して報知する請求項９に記載の体幹部内臓・皮下脂肪測定装置。
【請求項１１】
前記最適電極面積配置判定手段は、前記最適電極面積配置の判定が終了したとき、そのことを報知手段で報知する請求項９に記載の体幹部内臓・皮下脂肪測定装置。
【請求項１２】
体幹部に電流を印加するための電流印加電極対と、前記体幹部に生じた電位差を測定するための電圧計測電極対とを備え、前記電圧計測電極対に生じた電位差を測定することにより前記体幹部の内臓脂肪組織情報、及び／又は、皮下脂肪組織層情報を求める装置であって、
本体部と、前記本体部と電線で接続された一対のグリップ電極部とを備え、
少なくとも一方のグリップ電極部の体幹に接触させるための接触面は、電流印加電極である複数の電極部からなるマルチ電極を備え、
各グリップ電極部の手で把持するためのグリップ部は、電流印加電極と電圧計測電極のうち少なくとも一方を備え、
前記本体部は、前記マルチ電極の複数の電極部を順次電気的につなげていくように前記マルチ電極を切換えて他の電流印加電極との間に電流を印加できるようにする電極切換部と、
前記電圧計測電極対で測定された電位差またはインピーダンスを示す値の変化に基いて、前記マルチ電極の最適電極面積配置を決定する最適電極面積配置判定手段とを備え、
前記決定した最適電極面積配置の前記マルチ電極と前記他方の電流印加電極との間に電流を印加したとき、前記電圧計測電極対で測定した電位差またはインピーダンスに基いて体幹部の内臓脂肪組織情報、及び／又は、皮下脂肪組織層情報を求める手段とを備えることを特徴とする体幹部内臓・皮下脂肪測定装置。
【請求項１３】
前記本体部の各々の側にグリップ電極部が屈曲可能に接続され、前記本体部と前記一対のグリップ電極部とが一体となっている請求項１２に記載の体幹部内臓・皮下脂肪測定装置。
【請求項１４】
前記本体部は体重計形であり、
前記本体部上面の両足を乗せる部分には、左足用の電流印加電極と電圧計測電極、右足用の電流印加電極と電圧計測電極とが設けられている請求項１２に記載の体幹部内臓・皮下脂肪測定装置。
【請求項１５】
前記電極切換部は、前記マルチ電極の切換えの方向を、対応する電圧計測電極の配置側とは反対の方向とする請求項１２から１４のうちのいずれか１項に記載の体幹部内臓・皮下脂肪測定装置。
【請求項１６】
前記マルチ電極は、複数の細長い電極部が隣接してアレー状に並んだアレー電極である請求項１２から１５のうちのいずれか１項に記載の体幹部内臓・皮下脂肪測定装置。
【請求項１７】
前記アレー電極は、固定分電極部と複数の可変分マルチ細分化電極部とからなる請求項１６に記載の体幹部内臓・皮下脂肪測定装置。
【請求項１８】
前記可変分マルチ細分化電極部のサイズはすべて等しく、前記固定分電極部のサイズは、前記可変分マルチ細分化電極部のサイズより大きい請求項１７に記載の体幹部内臓・皮下脂肪測定装置。
【請求項１９】
前記マルチ電極は、複数の小さい電極部が縦横にマトリクス状に並んだマトリックス電極である請求項１２から１５のうちのいずれか１項に記載の体幹部内臓・皮下脂肪測定装置。
【請求項２０】
各グリップ電極部の手で把持するためのグリップ部は、電流印加電極と電圧計測電極とを備える請求項１２から１９のうちのいずれか１項に記載の体幹部内臓・皮下脂肪測定装置。
【請求項２１】
前記グリップ電極部に設けられた前記マルチ電極に近接して、電圧計測電極が設けられている請求項１２から２０のうちのいずれか１項に記載の体幹部内臓・皮下脂肪測定装置。